(57)【要約】【課題】操作性を向上させることができる空調制御装置を提供する。【解決手段】空調制御装置１は、検出対象によって操作領域１００になされたタッチ操作を検出するタッチセンサ１０と、第１の設定値に関する第１の軸、及び第２の設定値に関する第２の軸を有する二次元座標系を操作領域１００に設定し、タッチセンサ１０が検出した二次元座標系における検出対象の座標に基づいた第１の設定値及び第２の設定値に応じて空調装置９６を制御する制御信号Ｓ３を出力する制御部１４と、を備えて概略構成されている。【選択図】図１
2017121866.tif 000002
【特許請求の範囲】
【請求項１】
検出対象によって操作領域になされたタッチ操作を検出する操作検出部と、
第１の設定値に関する第１の軸、及び第２の設定値に関する第２の軸を有する二次元座標系を前記操作領域に設定し、前記操作検出部が検出した前記二次元座標系における前記検出対象の座標に基づいた前記第１の設定値及び前記第２の設定値に応じて空調装置を制御する制御信号を出力する制御部と、
を備えた空調制御装置。
【請求項２】
前記制御部は、前記二次元座標系の第一象限乃至第四象限ごとに予め定められた第１の設定値及び第２の設定値の組み合わせに関する情報を有し、前記タッチ操作がなされた象限に対応する前記予め定められた第１の設定値及び第２の設定値の組み合わせに基づいて調整された空気を送出するように前記空調装置を制御する、
請求項１に記載の空調制御装置。
【請求項３】
前記制御部は、前記操作領域になされたなぞり操作の終点の座標に基づいて前記第１の設定値及び前記第２の設定値を定める、
請求項１又は２に記載の空調制御装置。
【発明の詳細な説明】
【技術分野】
【０００１】
本発明は、空調制御装置に関する。
【背景技術】
【０００２】
従来の技術として、操作者の指先で摘んで操作される摘み操作部と、摘み操作部の回動量を検出する第１の移動量検出手段と、摘み操作部の傾動量を検出する第２の移動量検出手段と、第１の移動量検出手段からの検出出力に基づいて温度を設定すると共に、第２の移動量検出手段からの検出出力に基づいて風量を設定する制御手段とを備えた操作装置が知られている（例えば、特許文献１参照。）。
【０００３】
この操作装置は、摘み操作部によって温度や風量を速やかに設定することができる。
【先行技術文献】
【特許文献】
【０００４】
【特許文献１】特開２００９−２１４５７０号公報
【発明の概要】
【発明が解決しようとする課題】
【０００５】
しかし従来の操作装置は、温度と風量を同時に設定しようとすると傾けながら回転させたり、回転させながら傾けたりしなければならなかった。
【０００６】
従って本発明の目的は、操作性を向上させることができる空調制御装置を提供することにある。
【課題を解決するための手段】
【０００７】
本発明の一態様は、検出対象によって操作領域になされたタッチ操作を検出する操作検出部と、第１の設定値に関する第１の軸、及び第２の設定値に関する第２の軸を有する二次元座標系を操作領域に設定し、操作検出部が検出した二次元座標系における検出対象の座標に基づいた第１の設定値及び第２の設定値に応じて空調装置を制御する制御信号を出力する制御部と、を備えた空調制御装置を提供する。
【発明の効果】
【０００８】
本発明によれば、操作性を向上させることができる。
【図面の簡単な説明】
【０００９】
【図１】図１（ａ）は、実施の形態に係る空調制御装置の配置の一例を示す概略図であり、図１（ｂ）は、空調制御装置のブロック図の一例であり、図１（ｃ）は、空調制御装置の操作領域の一例を説明するための概略図である。
【図２】図２（ａ）は、実施の形態に係る空調制御装置の操作領域にタッチ操作がなされた場合の一例を示す概略図であり、図２（ｂ）は、タッチ操作がなされた後の表示の一例を示す概略図であり、図２（ｃ）は、操作領域になぞり操作がなされた場合の一例を示す概略図であり、図２（ｄ）は、なぞり操作がなされた後の表示の一例を示す概略図である。
【図３】図３は、実施の形態に係る空調制御装置の動作の一例を示すフローチャートである。
【発明を実施するための形態】
【００１０】
（実施の形態の要約）
実施の形態に係る空調制御装置は、検出対象によって操作領域になされたタッチ操作を検出する操作検出部と、第１の設定値に関する第１の軸、及び第２の設定値に関する第２の軸を有する二次元座標系を操作領域に設定し、操作検出部が検出した二次元座標系における検出対象の座標に基づいた第１の設定値及び第２の設定値に応じて空調装置を制御する制御信号を出力する制御部と、を備えて概略構成されている。
【００１１】
この空調制御装置は、操作が検出された座標に基づいて第１の設定値及び第２の設定値を設定することができるので、第１の設定値及び第２の設定値を別々に設定する場合と比べて、操作性を向上させることができる。
【００１２】
[実施の形態]
（空調制御装置１の概要）
図１（ａ）は、実施の形態に係る空調制御装置の配置の一例を示す概略図であり、図１（ｂ）は、空調制御装置のブロック図の一例であり、図１（ｃ）は、空調制御装置の操作領域の一例を説明するための概略図である。図２（ａ）は、実施の形態に係る空調制御装置の操作領域にタッチ操作がなされた場合の一例を示す概略図であり、図２（ｂ）は、タッチ操作がなされた後の表示の一例を示す概略図であり、図２（ｃ）は、操作領域になぞり操作がなされた場合の一例を示す概略図であり、図２（ｄ）は、なぞり操作がなされた後の表示の一例を示す概略図である。なお、以下に記載する実施の形態に係る各図において、図形間の比率は、実際の比率とは異なる場合がある。また図１（ｂ）では、主な信号や情報の流れを矢印で示している。
【００１３】
空調制御装置１は、図１（ａ）及び図１（ｂ）に示すように、車両９のセンタークラスター９０に配置され、空調装置９６の温度や風量を制御するものである。
【００１４】
この空調制御装置１は、検出対象によって操作領域１００になされたタッチ操作を検出する操作検出部としてのタッチセンサ１０と、第１の設定値に関する第１の軸、及び第２の設定値に関する第２の軸を有する二次元座標系を操作領域１００に設定し、タッチセンサ１０が検出した二次元座標系における検出対象の座標に基づいた第１の設定値及び第２の設定値に応じて空調装置９６を制御する制御信号Ｓ３を出力する制御部１４と、を備えて概略構成されている。
【００１５】
第１の設定値は、一例として、空調装置９６が車両９内に送出する空気の温度である。第２の設定値は、一例として、空調装置９６が車両９内に送出する空気の風量である。第１の軸は、一例として、図２（ａ）に示すように、横軸である温度軸である。第２の軸は、一例として、図２（ａ）に示すように、縦軸である風量軸である。二次元座標系は、一例として、図２（ａ）に示す温度軸及び風量軸が直交する直交座標系である。
【００１６】
空調制御装置１は、例えば、図１（ｂ）に示すように、車両ＬＡＮ（Local Area Network）９５と電磁気的に接続されている。空調制御装置１は、車両ＬＡＮ９５を介して空調装置９６と接続されている。空調装置９６は、車両９に搭載され、空調制御装置１の制御に応じて温度及び風量が調整された空気を吹出口９７などから車両９内に送出する。
【００１７】
（タッチセンサ１０の構成）
タッチセンサ１０は、例えば、操作者の体の一部（例えば、操作指）や専用のペンで操作領域１００に触れることにより、触れた操作領域１００上の位置を検出するものである。操作者は、例えば、操作領域１００にタッチ操作やなぞり操作を行うことにより、接続された空調装置９６の操作を行うことが可能となる。
【００１８】
タッチセンサ１０は、例えば、静電容量方式のタッチセンサである。タッチセンサ１０は、操作領域１００に接近及び接触する検出対象と検出電極との間で形成される静電容量を検出して検出点の座標を算出し、算出した座標の情報である操作情報Ｓ１を制御部１４に出力する。本実施の形態では、検出対象を操作者が操作に用いた操作指であるとする。
【００１９】
タッチセンサ１０は、図１（ｃ）に示すように、操作領域１００の下方に絶縁を保ちながら交差する複数の検出電極を有している。この検出電極は、例えば、一方の方向に並ぶ検出電極が駆動電極であり、他方の方向に並ぶ検出電極が読出電極である。駆動電極は、選択された１つの駆動電極に駆動電圧が印加され、駆動電圧が印加されている間、読出電極が切り替えられて静電容量を読み出す。タッチセンサ１０は、この処理を全ての検出電極によって１周期分行い、読み出した静電容量に基づいて操作領域１００における座標を算出する。
【００２０】
このタッチセンサ１０は、操作領域１００の全面、つまり表示部１２上にも配置されている。従ってタッチセンサ１０は、一例として、駆動電極及び読出電極がＩＴＯ（スズドープ酸化インジウム：Indium Tin Oxide）などにより形成される透明電極である。
【００２１】
なお変形例としてタッチセンサ１０は、例えば、表示部１２上に形成しない場合、透明電極でなく導電性を有する銅などの金属材料を用いて形成される。
【００２２】
操作領域１００は、図２（ａ）に示すように、主に、第１の領域１０１〜第４の領域１０４に分かれている。この第１の領域１０１〜第４の領域１０４は、例えば、二次元座標系の第一象限〜第四象限に対応している。
【００２３】
温度軸は、一例として、最低温度が１８℃で最高温度が３２℃の範囲を有する座標軸である。また風量軸は、一例として、１から５の範囲を有する座標軸である。よって温度軸と風量軸は、一例として、温度２５℃、風量３において交差している。
【００２４】
従って第１の領域１０１（第一象限）は、一例として、温度が２５℃より大きく３２℃以下であり、風量が３より大きく５以下の領域である。第２の領域１０２（第二象限）は、温度が１８℃以上、２５℃より小さく、風量が３より大きく５以下の領域である。第３の領域１０３（第三象限）は、温度が１８℃以上、２５℃より小さく、風量が１以上３より小さい領域である。第４の領域１０４（第四象限）は、温度が２５℃より大きく３２℃以下であり、風量が１以上３より小さい領域である。
【００２５】
なお温度軸及び風量軸上にタッチ操作及びなぞり操作がなされた場合、空調制御装置１は、一例として、その軸上の座標に応じた温度及び風量に基づいた制御信号Ｓ３を出力する。
【００２６】
操作領域１００には、温度の高低や風量の大小などを連想させる表示画像１０５が形成されている。この表示画像１０５は、例えば、印刷によって操作領域１００に形成されている。表示画像１０５は、例えば、裏面側から照明されている。
【００２７】
（表示部１２の構成）
表示部１２は、例えば、図１（ｃ）に示すように、温度表示１２０及び風量表示１２１を液晶によって行うように構成されている。表示部１２は、例えば、操作領域１００の中央に位置している。
【００２８】
表示部１２は、例えば、図１（ｂ）に示すように、制御部１４と電気的に接続されている。表示部１２は、制御部１４から出力される表示制御信号Ｓ２に基づいて温度表示１２０及び風量表示１２１を行う。
【００２９】
温度表示１２０は、１８℃から３２℃を数字で表示する。また風量表示１２１は、風量範囲である１から５までを、細い幅の円弧の数によって表示する。この円弧の数は、例えば、５である。
【００３０】
（制御部１４の構成）
制御部１４は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１４が動作するためのプログラムと、温度風量テーブル１４０とが格納されている。ＲＡＭは、例えば、一時的に演算結果などを格納する記憶領域として用いられる。
【００３１】
この温度風量テーブル１４０は、二次元座標系の第一象限〜第四象限ごとに予め定められた温度及び風量の組み合わせに関する情報、及び操作指が検出された座標に対応する温度及び風量の組み合わせの情報を有するテーブルである。
【００３２】
制御部１４は、タッチ操作がなされた象限に対応する予め定められた温度及び風量の組み合わせを温度風量テーブル１４０から読み出し、読み出した温度及び風量に基づいて調整された空気を送出するように空調装置９６を制御する。
【００３３】
第一象限〜第四象限ごとの予め定められた温度及び風量の組み合わせは、図２（ａ）及び図２（ｄ）に示すように、風量大／温度高、風量大／温度低、風量小／温度低、及び風量小／温度高である。この予め定められた温度及び風量の組み合わせは、温度風量テーブル１４０に格納されている。
【００３４】
制御部１４は、第１の領域１０１（第１象限）にタッチ操作が行われた場合、温度風量テーブル１４０に基づいて風量大／温度高の組み合わせに応じた制御信号Ｓ３を空調装置９６に出力する。この風量大／温度高の組み合わせは、一例として、風量が５、温度が３２℃である。
【００３５】
制御部１４は、第２の領域１０２（第２象限）にタッチ操作が行われた場合、温度風量テーブル１４０に基づいて風量大／温度低の組み合わせに応じた制御信号Ｓ３を空調装置９６に出力する。この風量大／温度低の組み合わせは、一例として、風量が５、温度が１８℃である。
【００３６】
制御部１４は、第３の領域１０３（第３象限）にタッチ操作が行われた場合、温度風量テーブル１４０に基づいて風量小／温度低の組み合わせに応じた制御信号Ｓ３を空調装置９６に出力する。この風量小／温度低の組み合わせは、一例として、風量が１、温度が１８℃である。
【００３７】
制御部１４は、第４の領域１０４（第４象限）にタッチ操作が行われた場合、温度風量テーブル１４０に基づいて風量小／温度高の組み合わせに応じた制御信号Ｓ３を空調装置９６に出力する。この風量小／温度高の組み合わせは、一例として、風量が１、温度が３２℃である。
【００３８】
図２（ａ）に示すように、操作者が第１の領域１０１にタッチ操作を行った場合、制御部１４は、検出された座標１０６が第１の領域１０１内にあることから第１の領域１０１に対応する風量と温度の組み合わせを温度風量テーブル１４０から読み出し、風量が５、温度が３２℃を指示する制御信号Ｓ３を生成して空調装置９６に出力する。図２（ｂ）は、当該タッチ操作がなされた後の表示部１２の表示を示している。
【００３９】
また制御部１４は、操作領域１００になされたなぞり操作の終点の座標に基づいて温度及び風量を定める。
【００４０】
図２（ｃ）に示すように、操作者が操作領域１００をなぞって第２の領域１０２内に操作指８を止めた場合、操作指８が止まった終点の座標１０６と温度風量テーブル１４０に基づいて温度と風量を決定する。制御部１４は、一例として、終点の座標１０６が（２１，２）に相当する座標である場合、温度が２４℃、風量が４となる制御信号Ｓ３を生成して空調装置９６に出力する。図２（ｄ）は、当該なぞり操作がなされた後の表示部１２の表示を示している。
【００４１】
以下に、本実施の形態の空調制御装置１の動作について図３のフローチャートに従って説明する。
【００４２】
（動作）
空調制御装置１の制御部１４は、車両９の電源が投入されると、周期的に操作情報Ｓ１を取得し、操作が行われたか否かを確認する。制御部１４は、ステップ１の「Ｙｅｓ」が成立する、つまり操作が検出されると（Ｓｔｅｐ１：Ｙｅｓ）、なされた操作がタッチ操作かなぞり操作かを確認する。
【００４３】
制御部１４は、なされた操作がタッチ操作であると判定すると（Ｓｔｅｐ２：Ｙｅｓ）、タッチ操作がなされた領域（象限）を判定する（Ｓｔｅｐ３）。この領域とは、第１の領域１０１〜第４の領域１０４のいずれかの領域である。
【００４４】
制御部１４は、タッチ操作がなされた領域を判定すると、温度風量テーブル１４０から判定した領域（象限）に対応する予め定められた温度と風量の組み合わせを読み出して空調装置９６に指示する温度と風量を決定し（Ｓｔｅｐ４）、決定した温度と風量に基づいた制御信号Ｓ３を、車両ＬＡＮ９５を介して空調装置９６に出力すると共に、判定した温度と風量を表示させる表示制御信号Ｓ２を生成して表示部１２に出力し（Ｓｔｅｐ５）、タッチ操作に基づく動作を終了する。
【００４５】
ここでステップ２において制御部１４は、検出された操作がなぞり操作であった場合（Ｓｔｅｐ２：Ｎｏ）、温度風量テーブル１４０からなぞり操作の終点の座標に対応する温度と風量を読み出して操作者によって設定された温度と風量を決定する（Ｓｔｅｐ６）。
【００４６】
制御部１４は、ステップ５に処理を進めて決定された温度と風量に基づいた制御信号Ｓ３を、車両ＬＡＮ９５を介して空調装置９６に出力すると共に、決定した温度と風量を表示させる表示制御信号Ｓ２を生成して表示部１２に出力し、なぞり操作に基づく動作を終了する。
【００４７】
空調制御装置１は、これらの動作を車両９の電源が遮断されるまで継続的に実行する。
【００４８】
（実施の形態の効果）
本実施の形態に係る空調制御装置１は、操作性を向上させることができる。具体的には、空調制御装置１は、操作が検出された座標に基づいて温度及び風量を設定することができるので、温度及び風量を別々に設定する場合と比べて、操作性を向上させることができる。
【００４９】
空調制御装置１は、操作者が第１の領域１０１〜第４の領域１０４にタッチ操作を行うことによって、タッチ操作が行われた領域に予め定められた温度と風量の組み合わせを判定して設定することができるので、温度と風量を別々に設定する場合と比べて、操作者が所望する設定を素早く行うことができる。
【００５０】
空調制御装置１は、操作者が操作領域１００に対してなぞり操作を行うことによって温度と共に風量を設定することができるので、別々に設定する場合と比べて、素早く、そして直感的に設定することができる。また空調制御装置１は、操作者が温度の高低や風量の大小などを連想し易い表示画像１０５を有しているので、さらに直感的に操作し易い。
【００５１】
なお変形例として、空調制御装置１は、温度と風量の設定の他に、運転席及び助手席ごとの温度と風量、及び吹出口の選択などの設定値の設定、後部座席の温度などの設定が行えるように構成されても良い。また空調制御装置１は、第１の軸及び第２の軸に割り当てられる設定値が操作領域１００になされたマルチタッチ操作やスイッチ操作などによって、運転席及び助手席ごとの温度及び風量などの設定値に切り替わるように構成されても良い。
【００５２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００５３】
１…空調制御装置、８…操作指、９…車両、１０…タッチセンサ、１２…表示部、１４…制御部、９０…センタークラスター、９５…車両ＬＡＮ、９６…空調装置、９７…吹出口、１００…操作領域、１０１〜１０４…第１の領域〜第４の領域、１０５…表示画像、１０６…座標、１２０…温度表示、１２１…風量表示、１４０…温度風量テーブル
【図１】
2017121866.tif 000003
【図２】
2017121866.tif 000004
【図３】
2017121866.tif 000005